(57)【要約】【課題】    皿部材筒部に対する皿部材皿部の移動場所は容器の先端付近で行う。皿部材筒部に対する皿部材皿部の上下動は、無段階的でスムーズな上下動にする。口紅等が最後に使い切るまでスムーズに出るようにする。口紅等の落下による事故を防ぐ。【解決手段】口紅等を固定する皿部材を皿部材筒部と皿部材皿部に分離する。皿部材筒部の外側を凹凸に加工する。回転筒の内側に突起を取り付ける。皿部材筒部の外側の凹凸と回転筒の内側の突起とが噛み合うようにする。皿部材皿部に取り付けた突起は固定筒の内側の螺旋溝を移動できるようにする。固定筒の内側に取り付けた第二工程の区間の螺旋溝のリードは第一工程の区間の螺旋溝のリードより短くする。第二工程の区間の螺旋溝に突起を付ける。第二工程の区間の螺旋溝の幅員は第一工程の区間の螺旋溝の幅員より狭くする。以上のことを特徴とする口紅等の収納容器である。【選択図】図６
2008036372.tif 000002
【特許請求の範囲】
【請求項１】
口紅等を固定する皿部材を皿部材筒部と皿部材皿部に分離し、皿部材筒部の外側に凹凸を取り付け、皿部材筒部内側に棒状突起を取り付け、皿部材皿部に突起を取り付け、皿部材皿部側面に溝を取り付け、皿部材筒部内側の棒状突起は皿部材皿部側面の溝を上下動可能に取り付け、回転筒の内側に皿部材筒部と皿部材皿部とを上下動可能に取り付け、皿部材筒部に対して皿部材皿部を上動可能に取り付け、回転筒に縦割孔を取り付け、縦割孔の下端に水平孔を取り付け、回転筒の上端部の内側に突起を取り付け、皿部材筒部の凹凸と回転筒の上端部の内側の突起とが噛み合う事で皿部材筒部の上昇移動を止める事ができ、皿部材筒部の上端部の面と皿部材皿部の上端部の面は長手方向に対して２０度から９０度にし、回転筒の上端部の面は長手方向に対して２０度から９０度にし、固定筒の内側に回転筒を回動可能に取り付け、固定筒の内側に螺旋溝を取り付け、皿部材筒部と皿部材皿部とが相対的に位置を変えずに回転筒の内側を上下動する工程を第一工程とし、皿部材筒部に対して皿部材皿部が上昇移動する工程を第二工程とし、固定筒の内側に取り付けた螺旋溝のリードが第二工程の区間では第一工程の区間に比べて短くし、第二工程の区間の螺旋溝に複数の突起を取り付け、皿部材皿部に取り付けた突起は回転筒に取り付けた縦割孔と水平孔を移動できるようにし、皿部材皿部に取り付けた突起は固定筒の内側の螺旋溝を移動できるようにし、皿部材筒部の凹凸と回転筒の上端部の内側の突起で皿部材筒部の上昇移動を止める事ができて、皿部材筒部に対して皿部材皿部を上昇移動させることで、収納容器から口紅等を全て出し切るようにした、以上のことを特徴とする口紅等の収納容器。
【請求項２】
口紅等を固定する皿部材を皿部材筒部と皿部材皿部に分離し、皿部材筒部の外側に凹凸を取り付け、皿部材筒部内側に棒状突起を取り付け、皿部材皿部に突起を取り付け、皿部材皿部側面に溝を取り付け、皿部材筒部内側の棒状突起は皿部材皿部側面の溝を上下動可能に取り付け、回転筒の内側に皿部材筒部と皿部材皿部とを上下動可能に取り付け、皿部材筒部に対して皿部材皿部を上動可能に取り付け、回転筒に縦割孔を取り付け、縦割孔の下端に水平孔を取り付け、回転筒の上端部の内側に突起を取り付け、皿部材筒部の凹凸と回転筒の上端部の内側の突起とが噛み合う事で皿部材筒部の上昇移動を止める事ができ、皿部材筒部の上端部の面と皿部材皿部の上端部の面は長手方向に対して２０度から９０度にし、回転筒の上端部の面は長手方向に対して２０度から９０度にし、固定筒の内側に回転筒を回動可能に取り付け、固定筒の内側に螺旋溝を取り付け、皿部材筒部と皿部材皿部とが相対的に位置を変えずに回転筒の内側を上下動する工程を第一工程とし、皿部材筒部に対して皿部材皿部が上昇移動する工程を第二工程とし、固定筒の内側に取り付けた螺旋溝のリードが第二工程の区間では第一工程の区間に比べて短くし、固定筒の内側に取り付けた螺旋溝の幅員が第二工程の区間では第一工程の区間に比べて狭くし、皿部材皿部に取り付けた突起は回転筒に取り付けた縦割孔と水平孔を移動できるようにし、皿部材皿部に取り付けた突起は固定筒の内側の螺旋溝を移動できるようにし、皿部材筒部の凹凸と回転筒の上端部の内側の突起で皿部材筒部の上昇移動を止める事ができて、皿部材筒部に対して皿部材皿部を上昇移動させることで、収納容器から口紅等を全て出し切るようにした、以上のことを特徴とする口紅等の収納容器。
【発明の詳細な説明】
【技術分野】
【０００１】  本発明は、棒状の口紅等の収納容器において、口紅等を固定する皿部材を皿部材筒部と皿部材皿部に分離して二重構造にし、皿部材皿部を皿部材筒部に対して上昇させることで、収納容器から口紅等を全て出し切る、口紅等の収納容器に関する技術分野である。
【背景技術】
【０００２】  棒状の口紅等の収納容器において、口紅等を固定する皿部材を、皿部材筒部と皿部材皿部に分離して二重構造にし、収納容器から口紅等を全て出し切る発明は色々と有ります。従来の技術としては、皿部材を化粧料収納中皿（皿部材筒部）と押し出し板（皿部材皿部）に分け、化粧料収納中皿と押し出し板の間に残った口紅を化粧に使うには、押し出し板に軸部を取り付け、軸部に環状突起を複数取り付け、回転基台の内側に押し出し部材を押し付けて、化粧料収納中皿に対して押し出し板を押し上げることによって、口紅等を収納容器から出し切る容器（例えば、特許文献１参照。）。通常、口紅を使うには、収納容器から口紅の一部を出して使う。この時に、口紅が足りなくなったら、この特許文献１の収納容器では、化粧料収納中皿と押し出し板（押し出し部材）とを回転基台の内側まで（一番奥まで）下げないと、口紅を適量出し補充することはできない。これでは、化粧の時に、口紅が足りなくなる毎に、化粧料収納中皿と押し出し板（押し出し部材）とを回転基台の内側まで下げ、口紅を適量出すことは、化粧の中断時間が長く、口紅を適量出すことに手間と時間がかかり不都合である。また、化粧料収納中皿の穴と軸部の環状突起とで口紅の出量を調整するので、口紅の上昇移動が段階的になり、口紅がスムーズに上昇しない。また別の発明は、皿部材を化粧料収納筒（皿部材筒部）と押し出し部材（皿部材皿部）に分け、横割孔と縦割孔とを上端開口の回転筒に取り付けた（例えば、特許文献２参照。）。この特許文献２の収納容器では、化粧料収納筒に取り付けた化粧料収納筒突子が回転筒の横割孔を横に移動する間に、つまり、化粧料収納筒が押し出し部材に対して回転している間に、押し出し部材に取り付けた押し出し部材突子が上昇することで、化粧料収納筒に対して押し出し部材が上昇する。口紅が足りなくなったら、そのばで足りなくなった口紅を補充することができる。しかし、化粧料収納筒が押し出し部材に対して回転するので、化粧料収納筒と押し出し部材との間に捩れが生じる。化粧料収納筒と押し出し部材との間が捩れると、化粧料収納筒と押し出し部材に固定していた部分の口紅が変形し、化粧料収納筒と押し出し部材に固定していた口紅の周りに亀裂が生じ、化粧料収納筒と押し出し部材に固定していた口紅が不安定になり、何回か繰り返すと、口紅が収納容器から落ちてしまう。また別の発明は、従動部材に第２溝とストッパを取り付けた（例えば、特許文献３参照。）。この特許文献３の収納容器では、従動部材に第２溝とストッパを取り付けてあるので、口紅の上下動が段階的になり、口紅がスムーズに上昇しない。また、特許文献３の収納容器は、本発明の口紅等の収納容器と比べると、部品の数が多く、構造が複雑で、安価に生産することは困難である。よって、特許文献３の収納容器の再利用を考えている。【０００３】
【特許文献１】  実開昭６２−６１６１３号公報
【特許文献２】  実開昭６０−４１８４７号公報
【特許文献３】  特許第３２９７２８３号公報
【発明の開示】
【発明が解決しようとする課題】
【０００４】  口紅等を固定する皿部材を皿部材筒部と皿部材皿部に分離して二重構造にし、収納容器から口紅等を全て出し切る技術において、皿部材筒部に対する皿部材皿部の上下動可能場所は収納容器の先端付近とする。【０００５】  本発明の口紅等の収納容器において、口紅等が出入りする側を上側とする。【０００６】  皿部材筒部と皿部材皿部とが相対的に位置関係を同じにして、固定筒および回転筒の内側を一緒に上下動する工程を第一工程とする。【０００７】  皿部材皿部が皿部材筒部に対して相対的に位置関係を変えて、固定筒および回転筒の内側を上下動する工程を第二工程とする。この時、皿部材皿部が皿部材筒部に対して上昇移動することができる。【０００８】  第二工程において、収納容器から口紅等の飛び出し等による落下による事故を防ぐ。この事故を防ぐ対策ができなかったため、商品化において大きい問題となっている。【０００９】  また、使用者が第一工程の時と第二工程の時をはっきり区別できるようにする。【００１０】  例えば、固定筒に対して、回転筒を回転させた時に、口紅等の上昇移動して進む距離（口紅等が出る長さ）が第一工程の時は長く、第二工程の時は短く、明確に表現する。また、回転筒を回転さるために必要な力が第一工程の時は軽く、第二工程の時は重く、明確に表現する。または、口紅等の上昇移動の様態が第一工程の時は滑るように、第二工程の時は段階的に、明確に表現する。【００１１】  第二工程において、皿部材筒部に対する皿部材皿部の上動は、スムーズな上動にし、口紅等が最後に使い切るまでスムーズに上昇するようにする。【００１２】  皿部材皿部に対して皿部材筒部が回転しない。【００１３】  第二工程において、皿部材皿部が皿部材筒部に対して上下動を繰り返すと、皿部材筒部と皿部材皿部に固定した口紅等の周りが変形し、口紅等の周りに亀裂ができ、口紅等が皿部材筒部と皿部材皿部から落ちやすいので、皿部材皿部が皿部材筒部に対して下降移動しない。【００１４】  皿部材皿部に対して皿部材筒部が回転すると、皿部材筒部と皿部材皿部に固定した口紅等の周りが変形し、口紅等の周りに亀裂ができ、口紅等が皿部材筒部と皿部材皿部から落ちやすいので、皿部材皿部に対して皿部材筒部が全く回転しない。
【課題を解決するための手段】
【００１５】  口紅等を固定する皿部材を皿部材筒部と皿部材皿部に分離して二重構造にする。【００１６】  皿部材皿部に突起を取り付ける。【００１７】  皿部材皿部に取り付けた突起は回転筒の縦割孔と水平孔を移動できるようにする。【００１８】  第一工程の時は、皿部材筒部と皿部材皿部とが一緒に回転筒の内側を上下動できるようにする。【００１９】  第二工程の時は、皿部材筒部に対して皿部材皿部が上昇移動できるようにする。しかし、皿部材皿部が皿部材筒部に対して下降移動は一切しない。【００２０】  固定筒の内側に螺旋溝を取り付け、皿部材皿部に取り付けた突起が固定筒の内側の螺旋溝を上下動できるようにする。【００２１】  第一工程の時は、皿部材皿部と皿部材筒部との間の摩擦力によって、皿部材筒部と皿部材皿部は固定している。つまり、ある一定の荷重以下であるので、皿部材皿部と皿部材筒部とを固定している。【００２２】  固定筒の内側に取り付けた螺旋溝のリード（ピッチ）において、第二工程の区間の螺旋溝のリードは第一工程の区間の螺旋溝のリードに比べて短くする。【００２３】  よって、回転筒を一回転したときに、口紅等が出る長さは第一工程が長く、第二工程が短い。ゆえに、使用者は第一工程と第二工程がはっきり区別できる。【００２４】  固定筒の内側に取り付けた螺旋溝において、第二工程の区間の螺旋溝に複数の突起を取り付ける。【００２５】  皿部材皿部に取り付けた突起が螺旋溝を上昇移動するときは、第一工程の区間の螺旋溝では、皿部材皿部に取り付けた突起が螺旋溝を滑るようにスムーズに上昇移動する。【００２６】  しかし、第二工程の区間の螺旋溝では、螺旋溝を上昇移動する皿部材皿部に取り付けた突起が螺旋溝の突起に阻まれて、皿部材皿部に取り付けた突起が段階的な上昇移動になる。【００２７】  よって、回転筒を回転したときに、口紅等の出方は、第一工程では、口紅等は滑らかにスムーズに出る。第二工程では、口紅等は段階的に出る。ゆえに、使用者は第一工程と第二工程がはっきり区別できる。【００２８】  また、固定筒の内側に取り付けた螺旋溝の幅員において、第二工程の区間の螺旋溝の幅員は第一工程の区間の螺旋溝の幅員に比べて狭くする。【００２９】  螺旋溝の幅員は、第一工程の区間の広い幅員にし、皿部材皿部に取り付けた突起が螺旋溝を滑るようにスムーズに上昇移動できる幅員とする。【００３０】  螺旋溝の幅員は、第二工程の区間の狭い幅員にし、皿部材皿部に取り付けた突起と螺旋溝が第一工程に比べて大きい摩擦力が生じるようにする。よって、第一工程の区間に比べて、第二工程の区間では皿部材皿部に取り付けた突起に強い回転力を加えないと、皿部材皿部に取り付けた突起が螺旋溝を上昇移動でない幅員とする。【００３１】  よって、回転筒を回転したときに、口紅等の出方は、第一工程では、口紅等は軽い回転力で出る。第二工程では、第一工程に比べて、口紅等は強い回転力を回転筒に加えないと出ない。ゆえに、使用者は第一工程と第二工程がはっきり区別できる。【００３２】  ある一定の荷重以下では、皿部材皿部と皿部材筒部との間の摩擦力によって固定する。また、ある一定の荷重以上では、皿部材皿部と皿部材筒部との間は滑り、皿部材筒部に対して皿部材皿部が上昇移動することができる。【００３３】  第二工程の時は、皿部材皿部と皿部材筒部との間が滑り、皿部材筒部に対して皿部材皿部が上動できるようにする。【００３４】  よって、皿部材筒部に対して皿部材皿部が上昇し、口紅等の収納容器から口紅等を全て出すことができる。皿部材皿部に取り付けた突起が螺旋溝を上昇するので、皿部材皿部は皿部材筒部に対してスムーズな上昇移動になる。つまり、口紅等はスムーズな出方で、口紅等を使い切る事ができる。【００３５】  口紅等を収納するときは、皿部材皿部に取り付けた突起が螺旋溝を下降移動する。よって、口紅等を全て収納容器に収納することができる。【００３６】  皿部材皿部は皿部材筒部に対して上昇移動した後では、皿部材皿部は皿部材筒部に対してその位置を堅持し、上昇移動した状態のままで、皿部材皿部と皿部材筒部との相対的位置関係は変わらない。下降移動は、皿部材皿部と皿部材筒部との相対的位置関係を変えないで下降移動する。【００３７】  皿部材皿部および皿部材筒部の摩擦する面積が増加すると、摩擦力も大きくなる。よって、第二工程では、回転把持部に加える回転力は、最初は小さく、最後は大きくなる。この摩擦力の大きさの調整で第二工程の回転把持部に加える回転力を調整できる。よって、回転把持部に加える回転力の大きさは、第一工程と第二工程で自由に設定でき、使い勝手の良い口紅等の収納容器であり、以上のことを特徴とする口紅等の収納容器である。
【発明の効果】
【００３８】  本発明の収納容器では、第二工程の区間の螺旋溝に色々な細工をして、収納容器から口紅等の落下（飛び出し）による事故が防ぐ事ができる。【００３９】  高価な口紅等であるため、皿部材を分割していない容器では、皿部材に残された口紅等を筆を用いて取り出していた。この作業を公衆の面前ですることを恥ずかしいと思う人が多かった。本発明の収納容器によって、この問題を解決できる。【００４０】  従来の皿部材を皿部材筒部と皿部材皿部に分離して二重構造にした容器は、容器に欠点が多く、ほとんどの二重構造の容器は商品として生産されなかった。また、部品が複雑で、部品数が多く、生産コストが高くなる二重構造の容器は生産しても極少量であった。加えて、収納容器から口紅等の落下（飛び出し）による事故を防ぐ対策が的確にはされていなかった。主に、これらの事で、商品化が非常に困難になっていた。【００４１】  本発明の収納容器では、従来の皿部材を分割していない容器に、追加する加工として、主に、皿部材を皿部材筒部と皿部材皿部に分離して二重構造にしただけである。以上の簡単な構造であるため、従来の皿部材を分割していない収納容器に比べても、生産コストの上昇は微増である。
【発明の実施するための最良の形態】
【００４２】  発明の実施するための最良の形態を図面を参照して説明する。
図１および図２において、口紅等を固定する皿部材を皿部材筒部Ａと皿部材皿部Ｂに分離して二重構造にする。
【００４３】  図１および図２において、皿部材皿部Ｂに突起Ｄを取り付ける。皿部材筒部Ａの外側に凹凸Ｃをつける。
【００４４】  図１および図２において、皿部材筒部Ａの内側に棒状突起Ｐを取り付け、皿部材皿部Ｂの円筒部側面に溝Ｑを取り付ける。皿部材筒部Ａ内側の棒状突起Ｐが皿部材皿部Ｂの円筒部側面の溝Ｑを上下動可能に取り付ける。
【００４５】  皿部材筒部Ａ内側の棒状突起Ｐと、皿部材皿部Ｂの円筒部側面の溝Ｑとの摩擦力を調整して、第二工程の時の、皿部材筒部Ａに対する皿部材皿部Ｂの移動するために必要な力を調整する。
【００４６】  図１および図２において、皿部材筒部Ａと皿部材皿部Ｂの上端部（上端面）は長手方向に対して２０度から９０度にする。
【００４７】  図３において、回転筒Ｅの上端部の内側に突起Ｆを取り付ける。
【００４８】  図３において、回転筒Ｅには、筒部に縦割孔Ｇを取り付け、縦割孔Ｇの下端に水平孔Ｊを取り付ける。皿部材皿部Ｂの突起Ｄが回転筒Ｅの縦割孔Ｇと水平孔Ｊを移動できるようにする。
【００４９】  図３において、回転筒Ｅの上端部の面（上端面）は長手方向に対して２０度から９０度にする。
【００５０】  図４および図５において、固定筒Ｋの内側に螺旋溝Ｌを取り付けた状態である。皿部材皿部Ｂの突起Ｄが固定筒Ｋの内側の螺旋溝Ｌを上下動できるようにする。
【００５１】  図４および図５において、固定筒Ｋの内側に取り付けた螺旋溝Ｌのリードは、第一工程の区間が長く、第二工程の区間が短くなる。
【００５２】  よって、固定筒Ｋの内側に取り付けた螺旋溝Ｌのピッチも、第一工程の区間に比べて、第二工程の区間が短くなる。
【００５３】  つまり、固定筒Ｋの内側に取り付けた螺旋溝Ｌのリードは、上端部分の区間が下端部分の区間に比べて短くなる。
【００５４】  図４および図５において、第一工程の時は、皿部材皿部Ｂの突起Ｄがリードの長い螺旋溝Ｌを上下動することができる。第二工程の時は、皿部材皿部Ｂの突起Ｄがリードの短い螺旋溝Ｌを上下動することができる。
【００５５】  よって、回転筒Ｋを一回転したときに、皿部材に取り付けた口紅等の出る長さは、第一工程では口紅等が長く出て、第二工程では口紅等が短く出る。つまり、第二工程では第一工程に比べて口紅等の出方が短くなる。
【００５６】  図４において、固定筒Ｋの内側に取り付けた螺旋溝Ｌにおいて、第二工程の区間の螺旋溝Ｌに複数の突起Ｎを取り付ける。
【００５７】  図５において、固定筒Ｋの内側に取り付けた螺旋溝Ｌの幅員において、第二工程の区間の螺旋溝Ｌの幅員は第一工程の区間の螺旋溝Ｌの幅員に比べて狭くする。
【００５８】  図６において、本発明の口紅等の収納容器を組み立てた状態である。
【００５９】  図６において、第一工程で皿部材皿部Ａが上昇移動し、第二工程に移る時に、皿部材皿部Ａの凹凸Ｃと、回転筒Ｅの上端部の内側の突起Ｆとが噛み合い、皿部材皿部Ａの上昇移動を止める事ができる。
【００６０】  図６において、収納容器の上端部の面（上端面）は長手方向に対して２０度から９０度にする。
【００６１】  つまり、皿部材筒部Ａ、皿部材皿部Ｂおよび回転筒Ｅの上端部（上端面）は長手方向に対して同じ角度にし、２０度から９０度にする。
【００６２】  図１、図２、図３、図４、図５および図６において、皿部材皿部Ｂの突起Ｄは回転筒Ｅの縦割孔Ｇと水平孔Ｊを移動できる大きさとする。また、突起Ｄは固定筒Ｋの螺旋溝Ｌを上下動できる大きさとする。第一工程において、皿部材筒部Ａと皿部材皿部Ｂとは相対的位置関係を固定したまま回転筒Ｅの中を一緒に上下動できる。
【００６３】  図１、図２、図３、図４、図５および図６において、第二工程の時は、皿部材皿部Ｂと皿部材筒部Ａとの間が滑る。よって、皿部材筒部Ａに対して皿部材皿部Ｂが上昇移動できるようになる。つまり、口紅等を収納容器から全て出すことができる。皿部材皿部Ｂに取り付けた突起Ｄが螺旋溝Ｌを上昇するので、皿部材皿部Ｂはスムーズな上昇移動になる。よって、口紅等は皿部材皿部Ｂと共にスムーズな上昇移動となる。口紅等を収納するときは、皿部材皿部Ｂに取り付けた突起Ｄが螺旋溝Ｌを下降移動する。つまり、皿部材皿部Ｂが下降移動し口紅等を全て容器に収納することができるようにする。以上のことを特徴とする口紅等の収納容器である。
【００６４】  図１、図２、図３、図４および図６において、口紅等を固定する皿部材を皿部材筒部Ａと皿部材皿部Ｂに分離し、皿部材筒部Ａの外側に凹凸Ｃを取り付け、皿部材筒部Ａの内側に棒状突起Ｐを取り付け、皿部材皿部Ｂに突起Ｄを取り付け、皿部材皿部Ｂ側面に溝Ｑを取り付け、皿部材筒部Ａ内側の棒状突起Ｐは皿部材皿部Ｂ側面の溝Ｑを上下動可能に取り付け、回転筒Ｅの内側に皿部材筒部Ａと皿部材皿部Ｂとを上下動可能に取り付け、皿部材筒部Ａに対して皿部材皿部Ｂを上動可能に取り付け、回転筒Ｅに縦割孔Ｇを取り付け、縦割孔Ｇの下端に水平孔Ｊを取り付け、回転筒Ｅの上端部の内側に突起Ｆを取り付け、皿部材皿部Ａの凹凸Ｃと回転筒Ｅの上端部の内側の突起Ｆとが噛み合い皿部材筒部Ａの上昇移動を止める事ができ、皿部材筒部Ａの上端部（上端面）と皿部材皿部Ｂの上端部（上端面）は長手方向に対して２０度から９０度にし、回転筒Ｅの上端部（上端面）は長手方向に対して２０度から９０度にし、固定筒Ｋの内側に回転筒Ｅを回動可能に取り付け、固定筒Ｋの内側に螺旋溝Ｌを取り付け、皿部材筒部Ａと皿部材皿部Ｂとが相対的に位置を変えずに回転筒Ｅの内側を上下動する工程を第一工程とし、皿部材筒部Ａに対して皿部材皿部Ｂが上昇移動する工程を第二工程とし、固定筒Ｋの内側に取り付けた螺旋溝Ｌのリードが第二工程の区間では第一工程の区間の螺旋溝Ｌのリードに比べて短くし、第二工程の区間の螺旋溝Ｌに複数の突起Ｎを取り付け、皿部材皿部Ｂに取り付けた突起Ｄは回転筒Ｅに取り付けた縦割孔Ｇと水平孔Ｊを移動できるようにし、皿部材皿部Ｂに取り付けた突起Ｄは固定筒Ｋの内側の螺旋溝Ｌを移動できるようにし、皿部材筒部Ａの凹凸Ｃと回転筒Ｅの上端部の内側の突起Ｆで皿部材筒部Ａの上昇移動を止める事ができて、皿部材筒部Ａに対して皿部材皿部Ｂを上昇移動させることで、収納容器から口紅等を全て出し切るようにした、以上のことを特徴とする口紅等の収納容器である。
【００６５】  図１、図２、図３、図５および図６において、口紅等を固定する皿部材を皿部材筒部Ａと皿部材皿部Ｂに分離し、皿部材筒部Ａの外側に凹凸Ｃを取り付け、皿部材筒部Ａの内側に棒状突起Ｐを取り付け、皿部材皿部Ｂに突起Ｄを取り付け、皿部材皿部Ｂ側面に溝Ｑを取り付け、皿部材筒部Ａ内側の棒状突起Ｐは皿部材皿部Ｂ側面の溝Ｑを上下動可能に取り付け、回転筒Ｅの内側に皿部材筒部Ａと皿部材皿部Ｂとを上下動可能に取り付け、皿部材筒部Ａに対して皿部材皿部Ｂを上動可能に取り付け、回転筒Ｅに縦割孔Ｇを取り付け、縦割孔Ｇの下端に水平孔Ｊを取り付け、回転筒Ｅの上端部の内側に突起Ｆを取り付け、皿部材皿部Ａの凹凸Ｃと回転筒Ｅの上端部の内側の突起Ｆとが噛み合い皿部材筒部Ａの上昇移動を止める事ができ、皿部材筒部Ａの上端部（上端面）と皿部材皿部Ｂの上端部（上端面）は長手方向に対して２０度から９０度にし、回転筒Ｅの上端部（上端面）は長手方向に対して２０度から９０度にし、固定筒Ｋの内側に回転筒Ｅを回動可能に取り付け、固定筒Ｋの内側に螺旋溝Ｌを取り付け、皿部材筒部Ａと皿部材皿部Ｂとが相対的に位置を変えずに回転筒Ｅの内側を上下動する工程を第一工程とし、皿部材筒部Ａに対して皿部材皿部Ｂが上昇移動する工程を第二工程とし、固定筒Ｋの内側に取り付けた螺旋溝Ｌのリードが第二工程の区間では第一工程の区間に比べて短くし、固定筒Ｋの内側に取り付けた螺旋溝Ｌの幅員が第二工程の区間では第一工程の区間に比べて狭くし、皿部材皿部Ｂに取り付けた突起Ｄは回転筒Ｅに取り付けた縦割孔Ｇと水平孔Ｊを移動できるようにし、皿部材皿部Ｂに取り付けた突起Ｄは固定筒Ｋの内側の螺旋溝Ｌを移動できるようにし、皿部材筒部Ａの凹凸Ｃと回転筒Ｅの上端部の内側の突起Ｆで皿部材筒部Ａの上昇移動を止める事ができて、皿部材筒部Ａに対して皿部材皿部Ｂを上昇移動させることで、収納容器から口紅等を全て出し切るようにした、以上のことを特徴とする口紅等の収納容器である。
【実施例１】
【００６６】  発明の実施例を図面参照して説明する。
図１および図２において、皿部材筒部Ａおよび皿部材皿部Ｂの上端部の面は長手方向に対して４５度にする。【００６７】  図１、図２および図６において、口紅等を固定する皿部材を皿部材筒部Ａと皿部材皿部Ｂに分離して二重構造にする。皿部材筒部Ａと皿部材皿部Ｂをプラスチックで作る。皿部材筒部Ａの大きさは、高さが２４ｍｍ、外形が直径１０ｍｍ、肉厚が０．５ｍｍの円筒形とする。皿部材筒部Ａの外側に凹凸Ｃをつける。その凹凸Ｃの加工は、上端から下方に１．５ｍｍのところまで幅０．５ｍｍ（直角三角形を逆さまにした形で高さが１．５ｍｍ、底辺が０．５ｍｍ）に内側から斜めに削り落とす。皿部材筒部Ａの内側に棒状突起Ｐを取り付け、棒状突起Ｐは断面形が二等辺三角形で、底辺が１ｍｍ、高さ１ｍｍである。また、皿部材皿部Ｂの大きさは、高さが２６ｍｍ、外径が９ｍｍ、肉厚が２ｍｍの円筒形に上方端を肉厚が２ｍｍの楕円板で塞いだ形とする。皿部材皿部Ｂに突起Ｄを取り付け、その突起Ｄはプラスチックスで作る。突起Ｄの大きさと形は、突起部分が太さ１ｍｍ、長さ２ｍｍの円筒形。皿部材皿部Ｂ側面に溝Ｑを取り付け、溝Ｑの断面形は底辺が１．２ｍｍ、高さ１ｍｍの二等辺三角形。皿部材筒部Ａの棒状突起Ｐと皿部材皿部Ｂの溝Ｑは密着している。皿部材皿部Ｂと皿部材筒部Ａとの間は摩擦力で固定する。【００６８】  図３において、回転筒Ｅの上端部の面は長手方向に対して４５度にする。【００６９】  図３において、回転筒Ｅに内側に突起Ｆを取り付ける。突起Ｆの出っ張りは０．５ｍｍで、幅が１．５ｍｍ（断面形は、直角三角形を逆さまにした形で高さが１．５ｍｍ、底辺が０．５ｍｍ）のリング状である。【００７０】  図３において、回転筒Ｅに外側に、固定筒Ｋを取り付ける為のリング状の突起Ｈを取り付ける。リング状の突起Ｈの断面形は半径が０．５ｍｍ、高さが０．３ｍｍの円弧形。【００７１】  図３において、回転筒Ｅには縦割孔Ｇを取り付ける。縦割孔Ｇの下端に水平孔Ｊを取り付ける。回転筒Ｅ、内側の突起Ｆおよび外側のリング状の突起Ｈをプラスチックで作る。回転筒Ｅの大きさは、肉厚が０．５ｍｍの円筒形とし、高さが７０ｍｍ、外径が１１ｍｍ。また、回転筒Ｈの側面の下端４．５ｍｍから上方に幅員が１．１ｍｍ、長さが４１ｍｍの縦割孔Ｇを一対（２本）取り付ける。縦割孔Ｇの下端から水平に幅員が１．１ｍｍ、長さが２．５ｍｍの水平孔Ｊを一対（２本）取り付ける。【００７２】  図４において、固定筒Ｋをプラスチックで作る。固定筒Ｌの大きさは、高さが５１ｍｍ、外径が１４ｍｍ、肉厚が１．５ｍｍの円筒形とする。固定筒Ｅの内側に幅員が１．１ｍｍ、深さが１．２ｍｍの螺旋溝Ｌを一対（２本）取り付ける。【００７３】  図４において、固定筒Ｋの内側に取り付けた螺旋溝Ｌのリードは、第一工程の区間が３０ｍｍで、第二工程の区間が４ｍｍである。つまり、下端から上方に３０ｍｍまでの区間は螺旋溝Ｌのリードが３０ｍｍで、それに接続して上方に１０ｍｍの区間は螺旋溝Ｌのリードが４ｍｍである。【００７４】  ゆえに、回転筒Ｅを一回転して口紅等の上昇移動（口紅等の出る長さ）は、第一工程の時が３０ｍｍで、第二工程の時が４ｍｍである。【００７５】  図４において、第二工程の区間では、固定筒Ｋの内側に取り付けた螺旋溝Ｌに突起Ｎを取り付ける。突起Ｎはプラスチックで作り、固定筒Ｋの内側に２０対取り付ける。その突起Ｎの大きさは半径０．１５ｍｍの半円形である。よって、第二工程の区間では口紅等の出方が２０段階の上昇移動となるので、皿部材から口紅等の落下（飛び出し）による事故を防ぐ事ができる。【００７６】  図４において、固定筒Ｋの底面に肉厚３ｍｍのプラスチック板を取り付けて、固定筒Ｋを回転把持部として代用する。固定筒Ｋの内側に断面形が半径０．５ｍｍの半円形の溝Ｍを取り付ける。【００７７】  図１、図２、図３、図４および図６において、口紅等を使用するには、まず、第一工程の時は、皿部材筒部Ａと皿部材皿部Ｂとが相対的に位置関係を同じにして固定筒Ｋおよび回転筒Ｅの内側を一緒に上下動する。この第一工程では皿部材皿部Ｂに取り付けた突起Ｄが螺旋溝Ｌと縦割孔Ｇ（または水平孔Ｊ）を移動する負荷のみであるため、回転把持部に加える回転力は比較的小さくても口紅等が上下動する。【００７８】  次に、第二工程の時は、皿部材皿部Ｂが皿部材筒部Ａに対して相対的に位置関係を変えて、固定筒Ｋおよび回転筒Ｅの内側を上下動する。この時、皿部材皿部Ｂが皿部材筒部Ａに対して上昇移動することができる。皿部材筒部Ａ内側の棒状突起Ｐと皿部材皿部Ｂ側面の溝Ｑとの間の摩擦する面積が増加すると、摩擦力も段々と大きくなる。また、皿部材皿部Ｂの突起Ｄが固定筒Ｋの螺旋溝Ｌを上昇移動するには、皿部材皿部Ｂの突起Ｄが螺旋溝Ｌの２０対の突起Ｎを乗り越えなければならない。よって、第二工程においての口紅等の上昇移動は２０段階になる。よって、この摩擦力の大きさと、皿部材皿部Ｂの突起Ｄが螺旋溝Ｌの突起Ｎを乗り越える力の大きさの調整で第二工程の回転把持部に加える回転力を調整できる。ゆえに、回転把持部に加える回転力の大きさは、第一工程と第二工程で自由に設定でき、使い勝手の良い口紅等の収納容器であり、以上のことを特徴とする口紅等の収納容器である。
【実施例２】
【００７９】  図１および図２において、皿部材筒部Ａおよび皿部材皿部Ｂの上端部の面は長手方向に対して９０度にする。【００８０】  図１、図２および図６において、口紅等を固定する皿部材を皿部材筒部Ａと皿部材皿部Ｂに分離して二重構造にする。皿部材筒部Ａと皿部材皿部Ｂをプラスチックで作る。皿部材筒部Ａの大きさは、高さが１４ｍｍ、外形が直径１０ｍｍ、肉厚が０．５ｍｍの円筒形とする。皿部材筒部Ａの外側に凹凸Ｃをつける。その凹凸Ｃの加工は、上端から下方に１．５ｍｍのところまで幅０．５ｍｍ（直角三角形を逆さまにした形で高さが１．５ｍｍ、底辺が０．５ｍｍ）に内側から斜めに削り落とす。皿部材筒部Ａの内側に棒状突起Ｐを取り付け、棒状突起Ｐは断面が二等辺三角形で、底辺が１ｍｍ、高さ１．２５ｍｍである。また、皿部材皿部Ｂの大きさは、高さが１７．５ｍｍ、外径が８．５ｍｍ、肉厚が２ｍｍの円筒形に上方端を肉厚が２ｍｍの円板で塞いだ形とする。皿部材筒部Ａの内面と皿部材皿部Ｂの外面の間に透き間を０．２５ｍｍあける。皿部材皿部Ｂに突起Ｄを取り付け、その突起Ｄはプラスチックスで作る。突起Ｄの大きさと形は、突起部分が太さ１ｍｍ、長さ２ｍｍの円筒形。皿部材皿部Ｂの側面に溝Ｑを取り付け、溝Ｑの断面は底辺が１．２ｍｍ、高さ１ｍｍの二等辺三角形。皿部材筒部Ａの棒状突起Ｐと皿部材皿部Ｂの溝Ｑは密着し摩擦力で固定する。【００８１】  図３において、回転筒Ｅの上端部の面は長手方向に対して９０度にする。【００８２】  図３において、回転筒Ｅに内側に突起Ｆを取り付ける。突起Ｆの出っ張りは０．５ｍｍで、幅が１．５ｍｍ（断面形は、直角三角形を逆さまにした形で高さが１．５ｍｍ、底辺が０．５ｍｍ）のリング状である。【００８３】  図３において、回転筒Ｅに外側に、固定筒Ｋを取り付ける為の突起Ｈを４個取り付ける。突起Ｈの断面は半径が０．３ｍｍ、高さが０．３ｍｍの半球形。【００８４】  図３において、回転筒Ｅには縦割孔Ｇを取り付ける。縦割孔Ｇは下端に水平孔Ｊを取り付ける。回転筒Ｅ、内側の突起Ｆおよび外側の突起Ｈをプラスチックで作る。回転筒Ｅの大きさは、肉厚が０．５ｍｍの円筒形とし、高さが６９ｍｍ、外径が１１ｍｍ。また、回転筒Ｅの側面の下端４．５ｍｍから上方に幅が１．１ｍｍ、長さが５１ｍｍの縦割孔Ｇを一対（２本）取り付ける。縦割孔Ｇの下端から水平に幅が１．１ｍｍ、長さが２．５ｍｍの水平孔Ｊを一対（２本）取り付ける。【００８５】  図５において、固定筒Ｋをプラスチックで作る。固定筒Ｋの大きさは、高さが６１ｍｍ、外径が１４ｍｍ、肉厚が１．５ｍｍの円筒形とする。固定筒Ｅの内側に螺旋溝Ｌを一対（２本）取り付ける。【００８６】  図５において、固定筒Ｋの内側に取り付けた螺旋溝Ｌのリードは、第一工程の区間が４０ｍｍで、第二工程の区間が４ｍｍである。つまり、下端から上方に４０ｍｍまでの区間は螺旋溝Ｌのリードが４０ｍｍで、それに接続して上方に１０ｍｍの区間は螺旋溝Ｌのリードが４ｍｍである。【００８７】  ゆえに、回転筒Ｅを一回転して口紅等の上昇移動（口紅等の出る長さ）は、第一工程の時が４０ｍｍで、第二工程の時が４ｍｍである。【００８８】  図５において、固定筒Ｋの内側に取り付けた螺旋溝Ｌの幅員に���いて、第一工程の区間の螺旋溝Ｌ（下端から上方に４０ｍｍまでの区間）は幅員が１．１ｍｍ、深さが１．２ｍｍである。また、第二工程の区間の螺旋溝Ｌ（下端から上方に４０ｍｍから５０ｍｍまでの区間）は幅員が１．０ｍｍ、深さが１．２ｍｍである。【００８９】  よって、第二工程の区間では、皿部材皿部Ｂに突起Ｄと第二工程の区間の螺旋溝Ｌの摩擦力が第一工程の区間に比べて大きくなる。よって、皿部材から口紅等の落下（飛び出し）による事故を防ぐ事ができる。【００９０】  図５において、固定筒Ｋの底面に肉厚３ｍｍのプラスチック板を取り付けて、固定筒Ｋを回転把持部の代用とする。固定筒Ｋの内側に断面形が半径０．５ｍｍの半円形の溝Ｍを取り付ける。【００９１】  図１、図２、図３、図５および図６において、口紅等を使用するには、まず、第一工程の時は、皿部材筒部Ａと皿部材皿部Ｂとが相対的に位置関係を同じにして固定筒Ｋおよび回転筒Ｅの内側を一緒に上下動する。この第一工程では皿部材皿部Ｂに取り付けた突起Ｄが螺旋溝Ｌと縦割孔Ｇ（または水平孔Ｊ）を移動する負荷のみであるため、回転把持部に加える回転力は比較的小さくても口紅等が上下動する。【００９２】  次に、第二工程の時は、皿部材皿部Ｂが皿部材筒部Ａに対して相対的に位置関係を変えて、固定筒Ｋおよび回転筒Ｅの内側を上下動する。この時、皿部材皿部Ｂが皿部材筒部Ａに対して上昇移動することができる。皿部材筒部Ａ内側の棒状突起Ｐと皿部材皿部Ｂ側面の溝Ｐとの間の摩擦する面積が増加すると、摩擦力も大きくなる。【００９３】  皿部材皿部Ｂの突起Ｄの太さと、第二工程の区間の螺旋溝Ｌ（下端から上方に４０ｍｍから５０ｍｍまでの区間）の幅員が１．０ｍｍと同じである。よって、第二工程の区間では、皿部材皿部Ｂの突起Ｄの第二工程の螺旋溝Ｌの上昇移動では、第一工程の区間に比べて、大きな摩擦力が発生する。ゆえに、回転把持部に加える回転力は、第一工程に比べて大きくなる。【００９４】  よって、第二工程では、回転把持部に加える回転力は、最初は小さく、最後は大きくなる。この摩擦力の大きさの調整で第二工程の回転把持部に加える回転力を調整できる。よって、回転把持部に加える回転力の大きさは、第一工程と第二工程で自由に設定でき、使い勝手の良い口紅等の収納容器であり、以上のことを特徴とする口紅等の収納容器である。
【産業上の利用可能性】
【００９５】  総務省統計局の平成１８年３月１日現在の人口推計確定値は女性の総人口が６５３９万人である。少なく見積っても、その７割の女性が口紅を使用すると、約４５７７万人の女性が口紅を使用してると考えられる。約４５７７万人の１５％の人が年間に２本の本発明口紅を使用すると、一年間に１３７３万本の本発明の口紅が販売できる。一本当たりの単価を１８００円とすると、２４７億１千万円の販売額が見込むことができ、総売上の２５％が利益とすると、利益額は約６１億７千万円になる。
【図面の簡単な説明】
【００９６】
【図１】本発明に係る口紅等容器について、発明の実施の形態の説明に供し、皿部材を皿部材筒部と皿部材皿部に分割した状態の皿部材筒部の図面である。
【図２】同発明の実施の形態の説明に供し、皿部材を皿部材筒部と皿部材皿部に分割した状態の皿部材皿部の図面である。
【図３】同発明の実施の形態の説明に供し、回転筒の図面である。
【図４】同発明の実施の形態の説明に供し、固定筒の図面である。
【図５】同発明の実施の形態の説明に供し、固定筒の図面である。
【図６】同発明の実施の形態の説明に供し、収納容器全体の断面図である。
【符号の説明】
【００９７】Ａ：皿部材筒部。              Ｂ：皿部材皿部。      Ｃ：凹凸。
Ｄ：皿部材皿部の突起。        Ｅ：回転筒。          Ｆ：回転筒内側の突起。
Ｇ：縦割孔。                  Ｈ：突起。            Ｊ：水平孔。
Ｋ：固定筒。                  Ｌ：螺旋溝。          Ｍ：溝。
Ｎ：螺旋溝の突起。            Ｐ：棒状突起。        Ｑ：溝。
【図１】
2008036372.tif 000003
【図２】
2008036372.tif 000004
【図３】
2008036372.tif 000005
【図４】
2008036372.tif 000006
【図５】
2008036372.tif 000007
【図６】
2008036372.tif 000008